(57)【要約】【課題】ディスプレイの駆動システムの提供。【解決手段】同期読み書き機能を具えた複数のメモリがフレームバッファとして使用され、画像データがメモリに伝送される時、メモリが同時に画像データをディスプレイに出力し、駆動時に必要な記憶容量を減らして回路と制御システムを簡易化する。このディスプレイの駆動システムはフレームにアクセスするバッファとされる複数の同期読み書きメモリと、ディジタル画像を処理する画像信号ジェネレータと、メモリとして使用されると共にクロックコントロールを行なうクロックコントローラと、画像データを受け取りディスプレイに表示させる複数のデータドライバと、を具えている。【選択図】        図３
2004334151.tif 000002
【特許請求の範囲】
【請求項１】
ディスプレイの駆動システムにおいて、該ディスプレイの駆動システムはメモリ使用量を減らすと共に制御回路を簡易化する駆動システムとされ、該駆動システムが、
フレームアクセスを行なうフレームバッファとされる複数の同期読み書きメモリと、
ディジタル画像を処理する画像信号ジェネレータと、
複数の同期読み書きメモリとクロックの制御を行なうクロックコントローラと、
ディスプレイパネルに設置されて画像データを受け取り該ディスプレイパネルに表示させる複数のデータドライバと、
を具えたことを特徴とする、ディスプレイの駆動システム。
【請求項２】
請求項１記載のディスプレイの駆動システムにおいて、複数の同期読み書きメモリがディスプレイパネルの上半部と下半部の画像データにそれぞれアクセスすることを特徴とする、ディスプレイの駆動システム。
【請求項３】
請求項１記載のディスプレイの駆動システムにおいて、複数の同期読み書きメモリの出力する画像データ量が受信した画像データ量の半分とされることを特徴とする、ディスプレイの駆動システム。
【請求項４】
ディスプレイの駆動システムにおいて、該ディスプレイの駆動システムはメモリ使用量を減らすと共に制御回路を簡易化する駆動システムとされ、該駆動システムが、
同期読み書き機能を具えた第１メモリと、
同期読み書き機能を具えた第２メモリと、
ディジタル画像を処理し並びに画像データソースとされる画像信号ジェネレータと、
第１メモリと第２メモリ及びクロックの制御を行なうクロックコントローラと、
ディスプレイパネルに設置されて画像データを受け取る第１データドライバと、
ディスプレイパネルに設置されて画像データを受け取る第２データドライバと、
を具えたことを特徴とする、ディスプレイの駆動システム。
【請求項５】
請求項４記載のディスプレイの駆動システムにおいて、第１メモリが第１データドライバに連接されたことを特徴とする、ディスプレイの駆動システム。
【請求項６】
請求項４記載のディスプレイの駆動システムにおいて、第１メモリが、ディスプレイパネルの上半部の画像データにアクセスすることを特徴とする、ディスプレイの駆動システム。
【請求項７】
請求項４記載のディスプレイの駆動システムにおいて、第２メモリが第２データドライバに連接されたことを特徴とする、ディスプレイの駆動システム。
【請求項８】
請求項４記載のディスプレイの駆動システムにおいて、第２メモリが、ディスプレイパネルの下半部の画像データにアクセスすることを特徴とする、ディスプレイの駆動システム。
【請求項９】
請求項４記載のディスプレイの駆動システムにおいて、第１メモリと第２メモリの出力する画像データ量が受信した画像データ量の半分とされることを特徴とする、ディスプレイの駆動システム。
【発明の詳細な説明】
【０００１】
【発明の属する技術分野】
本発明は一種のディスプレイの駆動システムに係り、同期読み書き機能を具えた複数のメモリがフレームバッファとして使用されることにより、駆動時に必要な記憶容量を減らし回路と制御システムを簡易化するディスプレイの駆動システムに関する。
【０００２】
【従来の技術】
伝統的な大寸法の液晶ディスプレイパネルは走査線或いはデータ線の負荷が過大であるため、画素充電時間が不足する。この問題を解決する周知の技術は、同一時間に複数の水平走査線をオンとして、水平走査線の充電放電時間を増加する、というものである。図１は周知の技術の水平走査線オン時のタイミング図である。図中に示されるのは１２００条の水平走査線を具えたディスプレイ１００であり、複数の走査線は二組に分けられ、ディスプレイ１００中のゲートドライバ１０３が液晶パネルの複数の走査線のオンとオフを順に制御し、並びに出力パルス幅時間内にその全部を開放するよう制御する。該ゲートドライバ１０３が第１組の走査線１０１の第１条の走査線（１と標記されている）をオンとする時、ディスプレイ１００の第２組の走査線１０２の第１条即ち図示される第６０１条の走査線（標記は６０１）もまた同時にオンとされ、最後の１条までオンとされ、即ち第１組の走査線１０１の最後の一条の走査線（６００と標記）と第２組の走査線１０２の最後の１条の走査線（１２００と標記）が同時にオンとされる。即ち第Ｎ条の走査線がオンとされる時、第６００＋Ｎ条もまた同時にオンとされ、こうしてディスプレイ１００の複数の走査線全部を一回循環する運転が完成する。この周知の技術は、ディスプレイ１００中の画素充電時間が倍加される。
【０００３】
図１に示される周知の技術に示されるディスプレイ１００を駆動するためには、図２に示される周知の技術のディスプレイの駆動システムが必要である。画像信号が処理信号ソースの画像信号ジェネレータ２０９より発生し、バス２０５を経由してメモリで組成されたバッファエリアに送られるとき、コントローラ２０７がこの画像信号を処理し、並びにフレームバッファの第１レジスタエリア２０１と第２レジスタエリア２０２のアクセスタイミングを制御して画像信号にアクセスさせる。この第１レジスタエリア２０１はさらに画像情報を二つの部分に分けて保存し、即ち図示される第１メモリ２０１ａと第２メモリ２０１ｂとされ、全体のフレームの画像データの第１レジスタエリア２０１への保存が完了した後、続いてレジスタエリア中の第１メモリ２０１ａと第２メモリ２０１ｂがバス２０５を介してデータをパネル２００中で上下に配列された第１データドライバ２００ａと第２データドライバ２００ｂに送り、並びにパネル２００の上半部と下半部に表示する。表示タイミングについては図１を参照されたい。第１レジスタエリア２０１中の画像データがパネル２００の複数のデータドライバに送られる時、この駆動システムに別に設置された第２レジスタエリア２０２が同時に画像信号ジェネレータ２０９よりバス２０５を介して送られた画像データを受け取る。該第２レジスタエリア２０２もまた第１メモリ２０２ａと第２メモリ２０２ｂの二つの部分に分けられて画面データを保存する。第１レジスタエリア２０１の画像データのデータドライバへの動作が完成する時、即ち、第２レジスタエリア２０２の第１メモリ２０２ａと第２メモリ２０２ｂがバス２０５を介してデータをパネル２００の第１データドライバ２００ａと第２データドライバ２００ｂに送ると同時に、第１レジスタエリア２０１がバス２０５より伝送された画面データを受け取り、第２レジスタエリア２０２中の画像データのパネル２００のデータドライバへの伝送動作が完成するのを待って、その画像データをバス２０５を介してパネル２００に伝送する。
【０００４】
周知の技術は図２に示される第１レジスタエリア２０１と第２レジスタエリア２０２のパネル２００のデータドライバにたいする画像フレーム伝送の動作が重複しており、第１レジスタエリア２０１が伝送完成すると、第２レジスタエリア２０２が続いて画像データを伝送し、第２レジスタエリア２０２が動作する時、第１レジスタエリア２０１が次の画像データを保存し、並びに第２レジスタエリア２０２の動作が完成するのを以て続く動作を行なう。
【０００５】
【発明が解決しようとする課題】
上述の周知の技術が二つの大容量のダイナミックメモリを必要とし、且つ複雑な制御回路を必要とする問題を解決するため、本発明は簡単な制御回路と制御方法の同期読み書きメモリの使用により駆動時に必要な記憶容量を減らす。
【０００６】
【課題を解決するための手段】
請求項１の発明は、ディスプレイの駆動システムにおいて、該ディスプレイの駆動システムはメモリ使用量を減らすと共に制御回路を簡易化する駆動システムとされ、該駆動システムが、
フレームアクセスを行なうフレームバッファとされる複数の同期読み書きメモリと、
ディジタル画像を処理する画像信号ジェネレータと、
複数の同期読み書きメモリとクロックの制御を行なうクロックコントローラと、
ディスプレイパネルに設置されて画像データを受け取り該ディスプレイパネルに表示させる複数のデータドライバと、
を具えたことを特徴とする、ディスプレイの駆動システムとしている。
請求項２の発明は、請求項１記載のディスプレイの駆動システムにおいて、複数の同期読み書きメモリがディスプレイパネルの上半部と下半部の画像データにそれぞれアクセスすることを特徴とする、ディスプレイの駆動システムとしている。
請求項３の発明は、請求項１記載のディスプレイの駆動システムにおいて、複数の同期読み書きメモリの出力する画像データ量が受信した画像データ量の半分とされることを特徴とする、ディスプレイの駆動システムとしている。
請求項４の発明は、ディスプレイの駆動システムにおいて、該ディスプレイの駆動システムはメモリ使用量を減らすと共に制御回路を簡易化する駆動システムとされ、該駆動システムが、
同期読み書き機能を具えた第１メモリと、
同期読み書き機能を具えた第２メモリと、
ディジタル画像を処理し並びに画像データソースとされる画像信号ジェネレータと、
第１メモリと第２メモリ及びクロックの制御を行なうクロックコントローラと、
ディスプレイパネルに設置されて画像データを受け取る第１データドライバと、
ディスプレイパネルに設置されて画像データを受け取る第２データドライバと、
を具えたことを特徴とする、ディスプレイの駆動システムとしている。
請求項５の発明は、請求項４記載のディスプレイの駆動システムにおいて、第１メモリが第１データドライバに連接されたことを特徴とする、ディスプレイの駆動システムとしている。
請求項６の発明は、請求項４記載のディスプレイの駆動システムにおいて、第１メモリが、ディスプレイパネルの上半部の画像データにアクセスすることを特徴とする、ディスプレイの駆動システムとしている。
請求項７の発明は、請求項４記載のディスプレイの駆動システムにおいて、第２メモリが第２データドライバに連接されたことを特徴とする、ディスプレイの駆動システムとしている。
請求項８の発明は、請求項４記載のディスプレイの駆動システムにおいて、第２メモリが、ディスプレイパネルの下半部の画像データにアクセスすることを特徴とする、ディスプレイの駆動システムとしている。
請求項９の発明は、請求項４記載のディスプレイの駆動システムにおいて、第１メモリと第２メモリの出力する画像データ量が受信した画像データ量の半分とされることを特徴とする、ディスプレイの駆動システムとしている。
【０００７】
【発明の実施の形態】
本発明は一種のディスプレイの駆動システムを提供し、それは同期読み書き機能を具えた複数のメモリをフレームバッファとして使用し、画像データがメモリに伝送される時、メモリが同時に画像データをディスプレイに出力することにより、駆動時に必要な記憶容量を減らして回路と制御システムを簡易化する。
このディスプレイの駆動システムはフレームにアクセスするバッファとされる複数の同期読み書きメモリと、ディジタル画像を処理する画像信号ジェネレータと、メモリとして使用されると共にクロックコントロールを行なうクロックコントローラと、画像データを受け取りディスプレイに表示させる複数のデータドライバと、を具えている。
【０００８】
【実施例】
図３は本発明の実施例のディスプレイの駆動システム表示図である。図示される駆動システムは同期読み書き機能を具えたメモリ、例えばＦＩＦＯ（ｆｉｒｓｔ−ｉｎ  ｆｉｒｓｔ  ｏｕｔ）３００をフレームバッファとして使用し、それは、第１メモリ３０１と第２メモリ３０２を具え、同期読み書きの機能を具備するため、信号ソースの伝送した画像データを保存する一方で、保存された画像データをパネル２００の第１データドライバ２００ａと第２データドライバ２００ｂに出力し、操作上、複数のデータを保存する時、複数のデータを同時に出力でき、ゆえに同一のフレームデータ記憶空間を重複使用でき、必要なメモリを減らすことができる。
【０００９】
画像信号が処理ディジタル画像信号ソースの画像信号ジェネレータ３０９よりシステムに伝送されると、画像データは本発明中の同期読み書き機能を具えてバッファとして使用される第１メモリ３０１或いは第２メモリ３０２に順に保存される。画像データが画像信号ジェネレータ３０９よりメモリ３００に伝送され、並びにクロックコントローラ３０７により該メモリ３００のアクセスクロックが制御される。そのうち第１メモリ３０１が先にフレーム上半部のデータにアクセスし、画像データ伝送時に、同期読み書きメモリの特性によりメモリ中の画像データを同時にパネル２００の第１データドライバ２００ａに出力し、その後、パネル２００に表示させる。画像信号ジェネレータ３０９がフレーム上半部のデータの伝送完了すれば、第１メモリ３０１の出力の動作の完成を待たずして、フレーム下半部のデータを第２メモリ３０２に伝送し、この第２メモリ３０２もまた同時に画像データをパネル２００の第２データドライバ２００ｂに伝送する。画像信号ジェネレータ３０９がフレーム下半部の画像データのメモリへの伝送動作を完成した後、この第２メモリ３０２のパネル２００への出力動作の完成を待たずして、次の画像の上半部のフレームデータが送出されて画像データの第１メモリ３０１への出力を完成し、続いて次のフレームの伝送ステップを行なう。
【００１０】
図４は本発明の実施例のディスプレイの駆動システムの水平走査線のオン動作のクロック表示図である。図示されるように、パネル２００中の駆動システムが同期読み書きメモリをフレームバッファとして使用する時、ゲートドライバ４００が水平走査線をオンとするクロック制御を行なう。パネル２００は第１部分４０１と第２部分４０２の上下二つの部分に分けられ、それぞれが異なるデータドライバを具えてそれぞれ駆動され、並びに同期読み書き機能を具えた異なる二つのメモリによりアクセスが行なわれる。
【００１１】
図４に示されるのは、１２００条の走査線を具えたディスプレイであり、パネル２００においてフレームの表示が開始される時、図３に示される第１メモリ３０１が画像データを図４に示されるパネル２００の第１部分４０１に伝送開始する。そのうち、第１条の走査線（１と標記）から最後の１条（６００と標記）は順番にオンとされ、走査線が半分までオンとされる時、第２メモリ３０２がディスプレイの下半部に対して画像データを出力し、そのうち図４に示される第２部分４０２の第１条走査線（６０１と標記）は上半部フレームの走査線が半分までオンとされた時にオンとされ、下半部の最後の１条（１２００と標記）がオンとされる時、上半部の走査線も半分までオンとされ、同時に下半部の第１条の走査線（６０１と標記）もまた即刻順に最後の１条の走査線までオンとされ、これは同期読み書きメモリをフレームバッファとして使用する特性であり、回路と制御システムを簡易化するだけでなく、メモリの使用を減らすことができる。
【００１２】
さらに図５から図１０は本発明の実施例のディスプレイの駆動システムのメモリアクセス動作表示図であり、本発明は、同期読み書き機能のメモリを画像データにアクセスするフレームバッファとして設置し、それは二つの部分を具え、メモリが画像データを受け取る時に、ディスプレイのデータドライバに同時に出力する。本発明はクロックコントローラにより二つの部分のメモリを輪番制御して同期読み書きの動作を行なわせる。そのうち、図５は、画像信号ジェネレータが画像信号を処理して形成した画像データソース５００が、画像データを先に第１メモリ３０１に送り、同期読み書き機能を具えた第１メモリ３０１が受け取った画像データをパネル２００に出力し表示させる状態を示す。図示されるメモリの同期出力する画像データ量はその受信するデータ量の半分とされる。続いて、図６は、画像データソース５００の半分（即ちフレーム上半部）のデータが既に第１メモリ３０１に伝送され、且つ第１メモリ３０１中の半分のデータ量の画像データが同時にパネル２００に伝送される状態を示す。図７は、続いて画像データソース５００の下半部のデータが第２メモリ３０２に伝送され、この時、第１メモリ３０１が続いて未出力の上半部画像データを出力し、第２メモリ３０２が同時に出力して下半部のフレーム画像データを受け取り、その出力データ量は受け取ったデータ量の半分とされる。図８に示されるように、第１メモリ３０１が上半部の画像データ出力を完成し、第２メモリ３０２もまた下半部の画像データの受信を完成し、並びにパネル２００に出力する状態を示す。図９は第２メモリ３０２が続けて画像データをパネル２００に出力し、第１メモリ３０１が画像データソース５００の次のフレームの画像データを受け取り、同時にパネル２００に出力する状態を示す。図１０は第２メモリ３０２が画像データ受信を完成し、続いてパネル２００に出力し、同時に第１メモリ３０１が上半部の画像データの受信を完成し、並びにパネル２００に出力する状態を示す。このような反復により図５から図１０のメモリの画像データアクセスフローを行なうことにより、本発明の記憶容量減少と制御回路の簡易化の目的を達成する。
【００１３】
【発明の効果】
以上は本発明のディスプレイの駆動システムの実施例の詳細な説明であり、これに示されるように、本発明は同期読み書き機能を具えた複数のメモリをフレームバッファとして使用し、メモリ使用量を減らし、制御回路簡易化の効果を達成している。
【００１４】
総合すると、以上に本発明のディスプレイの駆動システムが目的及び機能上、いずれも実施上の進歩性と産業上の利用価値を有することが示され、且つ現在市場にはない新規な発明であり、ゆえに本発明は特許の要件を具備している。なお、以上の実施例は本発明の実施範囲を限定するものではなく、本発明に基づきなしうる細部の修飾或いは改変は、いずれも本発明の請求範囲に属するものとする。
【図面の簡単な説明】
【図１】周知の技術の水平走査線のオンの時のクロック表示図である。
【図２】周知の技術のディスプレイの駆動システム表示図である。
【図３】本発明のディスプレイの駆動システム表示図である。
【図４】本発明の水平走査線のオンの時のクロック表示図である。
【図５】本発明の実施例のディスプレイの駆動システムのメモリアクセス動作表示図である。
【図６】本発明の実施例のディスプレイの駆動システムのメモリアクセス動作表示図である。
【図７】本発明の実施例のディスプレイの駆動システムのメモリアクセス動作表示図である。
【図８】本発明の実施例のディスプレイの駆動システムのメモリアクセス動作表示図である。
【図９】本発明の実施例のディスプレイの駆動システムのメモリアクセス動作表示図である。
【図１０】本発明の実施例のディスプレイの駆動システムのメモリアクセス動作表示図である。
【符号の説明】
１００  ディスプレイ
１０１  第１組の走査線
１０２  第２組の走査線
１０３  ゲートドライバ
２００  ディスプレイ
２００ａ  第１データドライバ
２００ｂ  第２データドライバ
２０１  第１レジスタエリア
２０１ａ  第１メモリ
２０１ｂ  第２メモリ
２０２  第２レジスタエリア
２０２ａ  第１メモリ
２０２ｂ  第２メモリ
２０５  バス
２０７  コントローラ
２０９  画像信号ジェネレータ
３００  メモリ
３０１  第１メモリ
３０２  第２メモリ
３０７  クロックコントローラ
３０９  画像信号ジェネレータ
４００  ゲートドライバ
４０１  第１部分
４０２  第２部分
５００  画像データソース
【図１】
2004334151.tif 000003
【図２】
2004334151.tif 000004
【図３】
2004334151.tif 000005
【図４】
2004334151.tif 000006
【図５】
2004334151.tif 000007
【図６】
2004334151.tif 000008
【図７】
2004334151.tif 000009
【図８】
2004334151.tif 000010
【図９】
2004334151.tif 000011
【図１０】
2004334151.tif 000012